(57)【要約】【課題】食事制限のある購入者が限界量を明らかに超えて成分を摂取している場合に、販売制限をかけることができない。また、商品を、缶や箱等、一定量単位で販売するため、前記一定量に含まれる成分が摂取限界量を少しでも超えてしまうと商品を販売できない。【解決手段】購入者が商品を購入する際に、予め登録しておいた摂取限界量を超えないよう、商品の成分情報から判断し、自動的に販売する。販売する際には、都度管理者に許可を求めることで、購入者が限界量を明らかに超えて成分を摂取することを回避する。また、商品の標準販売単位及び標準販売単価を登録しておくことで、商品の量り売りを可能とし、購入者の成分摂取を厳密に管理することが可能となる。【選択図】図１
2007141008.tif 000002
【特許請求の範囲】
【請求項１】
情報を送受信する端末側情報送受信部と、ＩＣチップを有する記録媒体から購入者ＩＤ
のみを読み取る端末側情報読取部を有する個人識別端末と、購入量を入力し、入力された
購入量を記憶する購入量記録部を有する購入量操作表示部と、情報を送受信するサーバ側
情報送受信部と、自動販売機で販売される商品の標準販売量、単価及び成分情報を記憶す
る製品情報記憶部と、各個人ごとに決められた該成分に対する摂取限界量を記憶する購入
者情報管理部と、前記個人識別装置から送信された個人ＩＤに関する情報と、前記購入者
情報管理部に登録された各個人ごとの摂取限界量と、予め設定しおいた管理者から受信す
る購入許可通知から、商品の販売及び販売量を判断する販売可否判断部と、前記購入量操
作表示部に入力された購入量から販売金額を算出する販売金額管理部と、前記購入量操作
表示部に入力された購入量と前記製品情報記憶部に記憶された標準販売量から販売形式を
決定する販売形式判断部を有する購入者情報管理サーバからなり、前記個人識別端末から
前記購入者情報管理サーバに送られた購入者ＩＤと前記購入者情報管理サーバの購入者情
報管理部に記憶された情報及び前記購入量操作表示部に入力された購入量に基づき、商品
の販売を前記販売可否判断部が判断し、自動販売機へ通知することを特徴とするシステム
。
【請求項２】
前記購入者情報管理部は、各個人情報として過去の各成分における摂取情報を記憶して
おり、前記システムは、前記販売可否判断部において、該個人情報のうち過去の摂取情報
と商品の成分情報とを加算した値が、いずれも該個人情報含まれる摂取限界量に達してい
ないとき、前記加算した値を過去の摂取情報として、該個人情報の更新を行うとともに商
品排出を許可し、達していれば商品排出を許可しない事を特徴とする請求項１に記載のシ
ステム。
【請求項３】
前記システムは、時刻情報を出力するタイマを有し、更に前記システムは、前記タイマ
による時刻情報が所定の時刻情報である場合、前記個人情報の過去の各成分の摂取量情報
を０に戻す処理を行う事を特徴とする請求項２に記載のシステム。
【請求項４】
前記購入者情報管理サーバから自動販売機へ商品の販売量が通知された後、購入者が商
品購入を選択した際、購入者情報管理部に記憶された情報を、前記サーバ側情報送受信部
から予め設定しておいた管理者へ送信し、管理者から購入許可通知を前記販売可否判断部
が受信し、商品排出の可否を自動販売機へ通知することを特徴とする請求項１に記載のシ
ステム。
【請求項５】
前記購入者情報管理サーバから自動販売機へ商品の販売量が通知された後、購入者が商
品購入を選択した際、商品の販売量と前記製品情報記憶部の情報から前記販売金額管理部
が商品の販売金額を算出し、自動販売機へ通知することを特徴とする請求項１に記載のシ
ステム。
【発明の詳細な説明】
【技術分野】
【０００１】
この発明は、商品の販売要求を行った顧客の情報から、商品の販売量及び販売可否につ
いて判断するシステムに関する。
【背景技術】
【０００２】
従来の自動販売機では、お金さえ投入できれば、無制限に商品を購入することが出来た
。利用者に健康面等で何らかの制限があっても、制限とは関係なく商品を購入することが
可能であり、利用者の健康を害する可能性があった。
【０００３】
特許文献１に開示された販売管理方法及び自動販売機システム及びプログラムでは、病
院内など、利用者に対し食事制限が行われる状況における自動販売機での販売方法を提供
している。
【０００４】
また、特許文献２に開示されたプログラムでは、購入許可商品情報テーブルの情報を、
購入者を管理する保護者や担当医などが適宜変更する方法を提供している。
【０００５】
【特許文献１】特開２００５−１００１５８号公報
【特許文献２】特開２００５−１４９２５８号公報
【発明の開示】
【発明が解決しようとする課題】
【０００６】
前記特許文献１では病院内など、利用者に対し食事制限が行われる状況における自動販
売機での販売方法を提供しているため、対象範囲外で商品を購入した場合、その購入情報
を販売可否判断に用いることができないという問題があった。また、商品の販売可否判断
を予め登録しておいた購入者の成分摂取限界量と商品の成分情報から判断するため、食事
制限のある購入者が前記特許文献１の対象範囲外で商品を購入し、限界量を明らかに超え
て成分を摂取している場合にも、販売制限をかけることができない問題があった。
【０００７】
前記特許文献１及び前記特許文献２では、商品を、缶や箱等、一定量単位で販売するた
め、前記一定量に含まれる成分が摂取限界量を少しでも超えてしまうと商品を販売できな
い問題があった。
【０００８】
本発明の目的は、上記課題を解決し、食事制限のある購入者が限界量を明らかに超えて
成分を摂取することを回避し、また食事制限内で最大限商品を販売することを特徴とする
。
【課題を解決するための手段】
【０００９】
本発明の目的を達成するために、本発明では予め購入者及び商品の情報を登録しておく
購入者情報管理サーバを設ける。購入者情報管理サーバには購入者ＩＤとパスワードを入
力することによってアクセスし、成分毎の摂取限界量を入力する。購入者ＩＤと成分毎の
摂取限界量は購入者情報管理サーバの購入者情報管理部に記憶される。
【００１０】
購入者は、個人を特定する購入者ＩＤのみを情報として持つ記録媒体を、個人識別端末
にかざす。個人識別端末は記録媒体に記録されている購入者ＩＤを取得し、購入者ＩＤを
購入者情報管理サーバへ送信する。購入者情報管理サーバは受信した購入者ＩＤと登録さ
れている購入者ＩＤを比較し、購入者ＩＤが存在しない場合は、商品販売不可情報を購入
量操作表示部に送信する。購入量操作表示部は受信した商品販売不可情報を表示し、処理
を終了する。購入者ＩＤが存在する場合は、購入量操作表示部に入力待ちステータスを送
信し、購入量操作表示部は入力待ちとなる。
【００１１】
購入者が商品を選択すると、自動販売機から商品ＩＤが購入者情報管理サーバに送信さ
れる。購入者情報管理サーバは、購入者の選択した商品の成分を製品情報記憶部から読み
取り、購入者情報管理部に記憶されている購入者の成分摂取限界量と比較し、摂取可能容
量を算出し、標準販売単位情報と共に購入量操作表示部へ送信する。購入量操作表示部は
摂取可能容量及び標準販売単位情報を表示する。購入者が購入量を入力すると、購入量操
作表示部は購入量を購入者情報管理サーバに送信する。購入者情報管理サーバの販売金額
管理部は受信した購入量と標準販売単価から販売金額を決定すると共に、購入量と標準販
売単位を元に販売形式判断部にて販売形式を決定する。また、予め設定された管理者に購
入者ＩＤ、商品名、摂取可能容量、購入量を送信する。管理者は受信した情報を元に、購
入許可通知もしくは購入不許可通知を購入者情報管理サーバへ送信する。購入者情報管理
サーバの販売可否判断部は管理者から購入不許可通知を受信するか、一定時間管理者から
連絡がない場合は、商品の販売は不可と判断し、商品販売不可情報を購入量操作表示部に
送信し、処理を終了する。管理者から購入許可通知を受信した場合は、販売金額管理部で
決定された販売金額及び販売形式を購入量操作表示部へ送信する。購入量操作表示部は販
売金額及び販売形式を表示し、商品購入を可能とする。
【００１２】
購入者が商品を購入すると、販売形式に従い商品が販売される。
【００１３】
商品が販売されると購入量操作表示部は購入通知を購入者情報管理サーバへ送信する。
購入者情報管理サーバは購入通知を受信すると、購入者情報管理部の情報を更新する。
【発明の効果】
【００１４】
本発明によれば、自動販売システムにおいて、食事制限のある購入者が限界量を明らか
に超えて成分を摂取することを回避できる。
【００１５】
また、食事制限内で缶や箱といった販売規格にとらわれることなく、摂取限界量まで商
品を購入または販売することが可能となる。
【発明を実施するための最良の形態】
【００１６】
本発明の制限付自動販売システムの実施例を以下に図を用いて説明する。図１は本発明
を実現するためのシステム構成図である。本発明は、商品の製品情報や購入者の成分摂取
限界量等、購入者情報を管理し、商品を販売するにあたり、金額、形式、販売可否を判断
する購入者情報管理サーバ、購入者ＩＤ情報を有する記録媒体、記録媒体からの購入者情
報を読み取る情報読取部及び、購入者への購入可否を伝達する操作表示部を有する個人識
別端末、購入する商品及び購入量を入力する購入量操作表示部から構成される。
【００１７】
商品自動販売における制御方法について説明する。
【００１８】
図２は購入者情報登録におけるフロー図である。ステップ１で購入者の氏名、年齢、及
び成分とその摂取限界量を入力する。ステップ２で入力したデータを購入者情報管理サー
バの購入者管理テーブルへ格納する。
【００１９】
図３ａ、図３ｂは商品販売のフロー図である。ステップ３で個人識別端末にて記録媒体
から購入者ＩＤを読み取る。ステップ４で受信した購入者ＩＤについて、購入者管理テー
ブルを検索する。ステップ５で購入者ＩＤの存在チェックを行い、購入者ＩＤが存在しな
い場合は、購入量操作表示部へ商品販売不可情報を表示し、処理を終了する。購入者ＩＤ
が存在する場合は、商品入力待ちステータスを購入量操作表示部へ送信し、購入量操作表
示部は購入者からの商品選択待ちとなる。ステップ６で購入者が商品を選択する。ステッ
プ７で選択された商品の成分と、購入者管理テーブルに登録されている成分摂取限界量を
比較し、商品摂取可能容量を算出する。ステップ８で商品摂取可能容量の０チェックを行
い、０の場合は処理を終了する。０でない場合はステップ９で摂取可能容量及び、購入者
管理サーバの製品情報テーブルに格納されている標準販売単位を購入量操作表示部に表示
する。ステップ１０で購入者が購入量を入力する。ステップ１２、ステップ１３で販売形
式及び販売金額を決定する。ステップ１１でインターネットを経由して管理者へ購入者Ｉ
Ｄ、成分摂取限界量、商品名、成分、購入量を送信する。ステップ１４で管理者が購入不
可情報を送信するか、何もせず一定時間が経過するとステップ１８で購入量操作表示部に
商品販売不可情報を表示し、処理を終了する。管理者が購入許可情報を送信すると、購入
者管理サーバはステップ１２、ステップ１３で決定した販売形式及び販売金額を購入量操
作表示部へ送信する。ステップ１６で購入者が商品を購入すると、ステップ１７で購入者
管理テーブルの成分摂取限界量を更新する。
【００２０】
図４は販売金額算出のフロー図である。ステップ２０で製品情報テーブルに格納された
標準販売単価を読み込み、ステップ２１で、ステップ１０で入力された購入量分の販売金
額を算出する。
【００２１】
図５は販売方式決定のフロー図である。ステップ２２で購入量を入力する。ステップ２
３で製品情報テーブルに格納された標準販売単位を読み込む。ステップ２４で購入量が標
準販売単位の倍数か判断し、倍数の場合、ステップ２８で標準販売方式(缶売や箱売)を選
択する。倍数でない場合はさらにステップ２５で(購入量÷標準販売単位)が1以上である
か否か判断し、1より小さい場合は個別販売方式(カップ等容量が不定形な容器にて販売)
を選択する。1以上の場合は、標準販売方式と個別販売方式の双方を選択する。
【００２２】
図６は購入者情報更新のフロー図である。ステップ２９で購入者ＩＤとパスワードを入
力する。ステップ３０で購入者情報管理サーバが入力された購入者ＩＤを購入者管理テー
ブルの中から検索する。ステップ３１で購入者ＩＤの存在チェックを行い、エラーが検出
された場合、処理を終了する。ステップ３１でエラーが検出されなかった場合、ステップ
３２で購入者管理テーブルの内容を表示する。ステップ３３で表示された購入者管理テー
ブルの内容を更新する。ステップ３３で更新した情報をステップ３４で購入者管理テーブ
ルに格納する。
【００２３】
図７は図１の記録媒体に格納されている記録媒体テーブルの概念図である。
【００２４】
図８は製品情報テーブルの概念図である。
【００２５】
図９は購入者管理テーブルの概念図である。
【産業上の利用可能性】
【００２６】
自動販売システムのみならず、ＰＯＳシステムと連携させることにより、販売者の主観
に寄らず、年齢や健康面から制限を必要とする商品を販売することが可能となる。
【図面の簡単な説明】
【００２７】
【図１】本発明を達成するために必要な自動販売システムの構成図。
【図２】本発明の購入者情報登録フローチャート。
【図３ａ】本発明の商品販売フローチャート。
【図３ｂ】本発明の商品販売フローチャート。
【図４】本発明の販売金額算出フローチャート。
【図５】本発明の販売方式決定フローチャート。
【図６】本発明の購入者管理テーブル更新フローチャート。
【図７】記録媒体テーブルの概念図。
【図８】製品情報テーブルの概念図。
【図９】購入者管理テーブルの概念図。
【符号の説明】
【００２８】
１…管理者、２…購入者情報管理サーバ、５…購入量操作表示部、６…個人識別端末、
９…販売金額管理部、１０…販売形式判断部、１１…販売可否判断部。
【図１】
2007141008.tif 000003
【図２】
2007141008.tif 000004
【図３ａ】
2007141008.tif 000005
【図３ｂ】
2007141008.tif 000006
【図４】
2007141008.tif 000007
【図５】
2007141008.tif 000008
【図６】
2007141008.tif 000009
【図７】
2007141008.tif 000010
【図８】
2007141008.tif 000011
【図９】
2007141008.tif 000012